(57)【要約】  無線アクセスユーザにサービスを独占する制御権限を提供するための方法および装置が本発明によって提供される。ここで、ネットワーク装置は、サービス制御権限、特に無線ビデオ監視システムのビデオ収集装置の制御権限を要求するためのユーザ端末のマルチ形式のテンプレート情報をユーザ端末に提供し、好ましくは、テンプレート情報はＯＭＡ共通メディアドキュメント（ｍｕｔｕａｌ  ｍｅｄｉａ  ｄｏｃｕｍｅｎｔ）によって編集される。ユーザ端末は、自分に対応するメッセージ形式のテンプレート情報に基づいて、対応する形式に従って共通順序（ｍｕｔｕａｌ  ｏｒｄｅｒ）を生成し、それを、サービス制御権限を要求するためにネットワーク装置に送信する。ネットワーク装置は、ユーザにサービス制御権限を提供するために、さまざまなユーザ端末から受信した共通順序を処理する。本発明によって、ユーザは、サービス制御権限を要求するために、共通順序をはるかに都合よく迅速に編集でき、ネットワーク装置も、はるかに速く正確にユーザの共通順序を処理し、サービスを独占する制御権限の帰属（ａｄｓｃｒｉｐｔｉｏｎ）を決定し、したがってユーザにより優れた体験品質を獲得させることができる。
2012503371.tif 000002
【特許請求の範囲】
【請求項１】
無線通信ネットワークのネットワーク装置において１つまたは複数のユーザ端末のうちの１つに排他的サービス制御権を提供する方法であって、
ａ．１つまたは複数のユーザ端末にサービス制御権関連情報および複数のコマンド形式情報を送信するステップと、
ｂ．１つまたは複数のユーザ端末のうちの少なくとも１つから、対応する各コマンド形式情報に従って編集された少なくとも１つの対話型コマンドを受信するステップと、
ｃ．少なくとも１つの対話型コマンドに従って、少なくとも１つのユーザ端末のうちの１つに排他的サービス制御権を提供するステップとを含む、方法。
【請求項２】
ステップａの前に
ｉ．送信されるべき複数のコマンド形式情報を決定するステップをさらに含むことを特徴とする、請求項１に記載の方法。
【請求項３】
１つまたは複数のユーザ端末が複数のプロトコルタイプをサポートし、ステップｉが
１つまたは複数のユーザ端末によってサポートされる複数のプロトコルタイプに従って、それぞれ複数のプロトコルタイプに対応する送信されるべき複数のコマンド形式情報を決定するステップをさらに含むことを特徴とする、請求項２に記載の方法。
【請求項４】
ステップｉの前に
−  １つまたは複数のユーザ端末によってサポートされる複数のプロトコルタイプを取得するステップをさらに含むことを特徴とする、請求項３に記載の方法。
【請求項５】
ステップｃが
ｃ１．少なくとも１つの対話型コマンドに従って、少なくとも１つの対話型コマンドに含まれる対話情報を抽出するステップと、
ｃ２．少なくとも１つの対話型コマンドに従って、少なくとも１つのユーザ端末のうちの１つにサービス制御権を提供するステップとをさらに含む、請求項１から４のいずれかに記載の方法。
【請求項６】
１つまたは複数の対話情報が、１つまたは複数のユーザ端末によって提示されたサービス制御権の価格を含み、
ステップｃ２が、
１つまたは複数のユーザ端末によって提示されたサービス制御権の価格に従って、サービス制御権の最高価格を提示したユーザ端末を選択し、これにサービス制御権を提供するステップをさらに含むことを特徴とする、請求項５に記載の方法。
【請求項７】
ネットワーク装置が、１つまたは複数のユーザ端末から各対話型コマンドを受信するためのそれぞれの受信時刻を有し、ステップｃ２が
複数のユーザ端末がサービス制御権の同じ最高価格を提示したときに、ネットワーク装置によって最も早く受信された対話型コマンドに対応するユーザ端末にサービス制御権を提供するステップをさらに含むことを特徴とする、請求項６に記載の方法。
【請求項８】
プロトコルタイプが、オープンモバイルアライアンスプロトコル、ショートメッセージサービスプロトコル、セッションイニシエーションプロトコル、ワイヤレスアプリケーションプロトコル、ハイパーテキストトランスファープロトコル、またはリアルタイムトランスポートプロトコルのうちの少なくとも２つを含むことを特徴とする、請求項３から７のいずれかに記載の方法。
【請求項９】
サービス制御権関連情報がサービス制御権の識別子を含み、
−  サービス制御権関連情報を交信するための有効期間と、
−  サービス制御権の基準価格と、
−  サービス制御権の現在の最高価格と、
−  サービス制御権の持続時間と、
−  サービス制御権の開始時間および終了時間と、
−  サービス制御権を交信するための回数と、
−  サービス制御権の紹介のうちの任意の１つまたは複数をさらに含むことを特徴とする、請求項１から８のいずれかに記載の方法。
【請求項１０】
排他的サービス制御権が、無線ビデオ監視システムのビデオ収集装置の排他的サービス制御権を含むことを特徴とする、請求項１から９のいずれかに記載の方法。
【請求項１１】
通信ネットワークのユーザ端末において対話型コマンドを処理する方法であって、
Ａ．ネットワーク装置からサービス制御権関連情報および複数のコマンド形式情報を取得するステップと、
Ｂ．ユーザ端末に対応する複数のコマンド形式情報のうちの１つに従って対話型コマンドを編集するステップと、
Ｃ．この対話型コマンドをネットワーク装置に送信するステップとを含む、方法。
【請求項１２】
ユーザ端末が複数のプロトコルタイプをサポートし、ステップＢが
Ｂ１．所定のルールに従って、ユーザ端末によってサポートされる複数のプロトコルのうちの１つに対応するコマンド形式情報を決定するステップと、
Ｂ２．この決定されたコマンド形式情報に従って対話型コマンドを編集するステップとをさらに含むことを特徴とする、請求項１１に記載の方法。
【請求項１３】
所定のルールが
−  プロトコルに基づいた対話型コマンドの送信時間が最小であること、
−  プロトコルに基づいて対話型コマンドによって占有される帯域幅リソースが最小であること、
−  プロトコルに基づいた対話型コマンドの確立速度が速いこと、
−  プロトコルに基づいた対話型コマンドのユーザのセマンティクス表現が最も正確で、エラーが起こりにくいこと、
−  プロトコルに基づいた対話型コマンドのユーザによる操作が最も単純であることのうちの任意の１つまたは複数を含むことを特徴とする、請求項１２に記載の方法。
【請求項１４】
ステップＡの前に
Ｉ．ユーザ端末によってサポートされる１つまたは複数のプロトコルタイプをネットワーク装置に提供するステップをさらに含むことを特徴とする、請求項１１から１３のいずれかに記載の方法。
【請求項１５】
対話型コマンドが、ユーザ端末によって提示されたサービス制御権の価格を含むことを特徴とする、請求項１１から１４のいずれかに記載の方法。
【請求項１６】
プロトコルタイプが、オープンモバイルアライアンスプロトコル、ショートメッセージサービスプロトコル、セッションイニシエーションプロトコル、ワイヤレスアプリケーションプロトコル、ハイパーテキストトランスファープロトコル、またはリアルタイムトランスポートプロトコルのうちの少なくとも２つを含むことを特徴とする、請求項１２から１５のいずれかに記載の方法。
【請求項１７】
サービス制御権関連情報がサービス制御権の識別子を含み、
−  サービス制御権関連情報を交信するための有効期間と、
−  サービス制御権の基準価格と、
−  サービス制御権の現在の最高価格と、
−  サービス制御権の持続時間と、
−  サービス制御権の開始時間および終了時間と、
−  サービス制御権を交信するための回数と、
−  サービス制御権の紹介と、
−  サービス制御権のオークション方法の紹介のうちの任意の１つまたは複数を含むことを特徴とする、請求項１１から１６のいずれかに記載の方法。
【請求項１８】
サービス制御権が無線ビデオ監視システムの制御権を含むことを特徴とする、請求項１１から１７のいずれかに記載の方法。
【請求項１９】
無線通信ネットワークのネットワーク装置において、１つまたは複数のユーザ端末のうちの１つに排他的サービス制御権を提供するための第１の提供装置であって、
１つまたは複数のユーザ端末にサービス制御権関連情報および複数のコマンド形式情報を送信するように構成された送信機と、
１つまたは複数のユーザ端末のうちの少なくとも１つから、対応する各コマンド形式情報に従って編集された少なくとも１つの対話型コマンドを受信するように構成されたコマンド受信機と、
少なくとも１つの対話型コマンドに従って、少なくとも１つのユーザ端末のうちの１つに排他的サービス制御権を提供するように構成された第２の提供手段とを備える、装置。
【請求項２０】
送信されるべき複数のコマンド形式情報を決定するように構成された第１の決定手段をさらに備えることを特徴とする、請求項１９に記載の第１の提供装置。
【請求項２１】
１つまたは複数のユーザ端末が複数のプロトコルタイプをサポートし、第１の決定手段がさらに
１つまたは複数のユーザ端末によってサポートされる複数のプロトコルタイプに従って、それぞれ複数のプロトコルタイプに対応する送信されるべき複数のコマンド形式情報を決定するように構成されることを特徴とする、請求項２０に記載の第１の提供装置。
【請求項２２】
１つまたは複数のユーザ端末によってサポートされる複数のプロトコルタイプを取得するように構成された第１の取得手段をさらに備えることを特徴とする、請求項２１に記載の第１の提供装置。
【請求項２３】
第２の提供手段が、
少なくとも１つの対話型コマンドに従って、少なくとも１つの対話型コマンドに含まれる対話情報を抽出するように構成された抽出手段をさらに備え、
第２の提供手段がさらに、少なくとも１つの対話型コマンドに従って、少なくとも１つのユーザ端末のうちの１つにサービス制御権を提供するように構成される、請求項１９から２２のいずれかに記載の第１の提供装置。
【請求項２４】
１つまたは複数の対話情報が、１つまたは複数のユーザ端末によって提示されたサービス制御権の価格を含み、第２の提供手段がさらに
１つまたは複数のユーザ端末によって提示されたサービス制御権の価格に従って、サービス制御権の最高価格を提示したユーザ端末を選択し、これにサービス制御権を提供するように構成されることを特徴とする、請求項２３に記載の第１の提供装置。
【請求項２５】
ネットワーク装置が、１つまたは複数のユーザ端末から各対話型コマンドを受信するためのそれぞれの受信時刻を有し、第２の提供装置がさらに
複数のユーザ端末がサービス制御権の同じ最高価格を提示したときに、ネットワーク装置によって最も早く受信された対話型コマンドに対応するユーザ端末にサービス制御権を提供するように構成されることを特徴とする、請求項２４に記載の第１の提供装置。
【請求項２６】
プロトコルタイプが、オープンモバイルアライアンスプロトコル、ショートメッセージサービスプロトコル、セッションイニシエーションプロトコル、ワイヤレスアプリケーションプロトコル、ハイパーテキストトランスファープロトコル、またはリアルタイムトランスポートプロトコルのうちの少なくとも２つを含むことを特徴とする、請求項２１から２５のいずれかに記載の第１の提供装置。
【請求項２７】
サービス制御権関連情報がサービス制御権の識別子を含み、
−  サービス制御権関連情報を交信するための有効期間と、
−  サービス制御権の基準価格と、
−  サービス制御権の現在の最高価格と、
−  サービス制御権の持続時間と、
−  サービス制御権の開始時間および終了時間と、
−  サービス制御権を交信するための回数と、
−  サービス制御権の紹介と、
−  サービス制御権のオークション方法の紹介のうちの任意の１つまたは複数をさらに含むことを特徴とする、請求項１９から２６のいずれかに記載の第１の提供装置。
【請求項２８】
排他的サービス制御権が無線ビデオ監視システムの排他的サービス制御権を含むことを特徴とする、請求項１９から２７のいずれかに記載の第１の提供装置。
【請求項２９】
通信ネットワークのユーザ端末において対話型コマンドを処理する処理装置であって、
ネットワーク装置からサービス制御権関連情報および複数のコマンド形式情報を取得するように構成された第２の取得手段と、
ユーザ端末に対応する複数のコマンド形式情報のうちの１つに従って対話型コマンドを編集するように構成された編集手段と、
ネットワーク装置に対話型コマンドを送信するように構成された対話型コマンド送信手段とを備える、装置。
【請求項３０】
ユーザ端末が複数のプロトコルタイプをサポートし、編集手段が
所定のルールに従って、ユーザ端末によってサポートされる複数のプロトコルの１つに対応するコマンド形式情報を決定するように構成された第２の決定手段をさらに備え、
編集手段がさらに、この決定されたコマンド形式情報に従って対話型コマンドを編集するように構成されることを特徴とする、請求項２９に記載の処理装置。
【請求項３１】
所定のルールが
−  プロトコルに基づいた対話型コマンドの送信時間が最小であること、
−  プロトコルに基づいて対話型コマンドによって占有される帯域幅リソースが最小であること、
−  プロトコルに基づいた対話型コマンドの確定速度が速いことの任意の１つまたは複数を含むことを特徴とする、請求項３０に記載の処理装置。
【請求項３２】
ネットワーク装置にユーザ端末によってサポートされる１つまたは複数のプロトコルタイプを提供するように構成されたプロトコルタイプ提供手段をさらに備えることを特徴とする、請求項２９から３１のいずれかに記載の処理装置。
【請求項３３】
対話型コマンドがユーザ端末によって提示されたサービス制御権の価格を含むことを特徴とする、請求項２９から３２のいずれかに記載の処理装置。
【請求項３４】
プロトコルタイプが、オープンモバイルアライアンスプロトコル、ショートメッセージサービスプロトコル、セッションイニシエーションプロトコル、ワイヤレスアプリケーションプロトコル、ハイパーテキストトランスファープロトコル、またはリアルタイムトランスポートプロトコルのうちの少なくとも２つを含むことを特徴とする、請求項３０から３３のいずれかに記載の処理装置。
【請求項３５】
サービス制御権関連情報がサービス制御権の識別子を含み、
−  サービス制御権関連情報を交信するための有効期間と、
−  サービス制御権の基準価格と、
−  サービス制御権の現在の最高価格と、
−  サービス制御権の持続時間と、
−  サービス制御権の開始時間および終了時間と、
−  サービス制御権を交信するための回数と、
−  サービス制御権の紹介と、
−  プロトコルに基づいた対話型コマンドのユーザのセマンティクス表現が最も正確で、エラーが起こりにくいこと、
−  プロトコルに基づいた対話型コマンドのユーザによる操作が最も単純であることのうちの任意の１つまたは複数を含むことを特徴とする、請求項２９から３４のいずれかに記載の処理装置。
【請求項３６】
サービス制御権が無線ビデオ監視システムのビデオ収集装置の制御権を含むことを特徴とする、請求項２９から３５のいずれかに記載の処理装置。
【請求項３７】
請求項１９から２８のいずれかに記載の、１つまたは複数のユーザ端末の１つに排他的サービス制御権を提供するための第１の提供装置を備えることを特徴とする、無線通信ネットワークのネットワーク装置。
【請求項３８】
請求項２９から３６のいずれかに記載の、対話型コマンドを処理するための処理装置を備えることを特徴とする、無線通信ネットワークのユーザ端末。
【発明の詳細な説明】
【技術分野】
【０００１】
本発明は、通信ネットワークに関し、より詳細にはユーザ端末に無線通信ネットワークにおける排他的サービス制御権を提供するための方法および装置に関する。
【背景技術】
【０００２】
セキュリティ問題に関する注目が高まりつつあるので、無線ビデオ監視システムのアプリケーションが広く普及してきている。無線監視システムは、収集装置と、管理プラットフォームと、ユーザ端末とを備える。ここで、収集装置は、パンチルト（Ｐａｎ＆Ｔｉｌｔ）およびカメラを含む測雲機（ｎｅｐｈｏｓｃｏｐｅ）を備え、このカメラは回転でき、パンチルトはカメラに対応するように構成され、カメラを水平方向または垂直方向に動くように誘導することができる。管理プラットフォームは、事業者またはサービスプロバイダ（ＳＰ）のところに対話型サーバを備える。ユーザ端末は、収集装置を制御し、収集されたビデオ情報を提供することができる。
【０００３】
従来、事業者およびサービスプロバイダは、多くの場所たとえば鉄道駅、博物館、広場などの人が多く集まる共同施設または銀行などの国民の安全に関連する場所に、収集装置を配置している。セキュリティの意識が高まりつつあるので、無線ビデオ監視システムの収集装置は、人々の安全に関するサービスの向上および人々の精神的教化（ｓｐｉｒｉｔｕａｌ  ｃｉｖｉｌｉｚａｔｉｏｎ）の影響（ｃｏｌｏｒｉｎｇ）のために小区域、住居用の建物などにも配置される。
【０００４】
市場を拡大するために、付加価値を付けたサービスを提供して、事業者またはサービスプロバイダは、収集装置の一部（たとえば重要な国民のセキュリティに関連しない機密に関与しない区域などにおける収集装置など）の制御権を公開することができる。すなわち、事業者またはサービスプロバイダは、ユーザ端末に収集装置の一部の排他的制御権を提供することができる。
【０００５】
たとえば、事業者またはサービスプロバイダは、オークションに複数の収集装置を配置することができる。したがって、ユーザは、収集装置の制御権を取得し、携帯電話、ラップトップ、または携帯情報端末（ＰＤＡ）などを使用して収集装置を制御し、収集装置の焦点を目的の物品に合わせることによって、オークションにいなくても目的の物品をオークションに出品することができる。別のシナリオでは、ユーザは、鉄道駅の切符売り場にある収集装置の制御権を取得し、ある時間帯中に切符を購入する人々の数を判断することによって、鉄道駅の切符売り場に行って特定の方向に向かう切符を買いたい時刻を決定する。ユーザ端末が収集装置の制御権を利用するシナリオはそれに限定されるものではないことは当業者には理解されよう。
【発明の概要】
【発明が解決しようとする課題】
【０００６】
従来技術では、ユーザ端末は、ＳＭＳ自体を編集してＳＭＳを送信することによって、対応する事業者またはサービスプロバイダのサーバから無線ビデオシステムの収集装置の制御権を要求することができる。具体的には、ＳＭＳはまずＳＭＳサービスセンターに送信され、次にＳＭＳサービスセンターによって宛先アドレスに従ってフィルタリングされ、対応するＳＭＳネットワーク／ルータ／スイッチに転送され、最後に対話情報を処理するための対話型サーバに到着する。ただし、各ユーザ装置は、同一のテンプレートに従って制御権を要求するための対話型コマンドを送信せず、そのため以下の欠点がある：
ｉ）各ユーザによって入力される対話型コマンドの各フィールドの順序、各フィールドの構成単位が異なるので、サーバはさまざまなユーザからの種々のコマンドを識別する必要がある。たとえば、「Ｙｕａｎ」、「ＲＭＢ」、または「￥」というフィールドが含まれる場合、それは、サービス制御に対して価格が提示されたことを表す。これは、ユーザの対話型コマンドに対して正確にかつ速く応答するためには良くない。
ｉｉ）ユーザのタイプエラーが発生する確率が高くなる。
ｉｉｉ）ユーザの入力動作がより複雑になる。
【０００７】
従来技術に存在する上述の問題を解決するために、本発明は、ネットワーク装置がユーザ端末に、ユーザ端末がサービス制御権を要求する種々の形式のテンプレート情報を提供することを提案する。ユーザ端末は、自分に対応するメッセージ形式のテンプレート情報に従って、対応する形式に基づいて対話型コマンドを生成し、それをネットワーク装置に送信して、サービス制御権を要求する。ネットワーク装置は、さまざまなユーザ端末から受信した要求コマンドを処理し、ユーザにサービス制御権を提供する。
【課題を解決するための手段】
【０００８】
本発明の第１の態様によれば、無線通信ネットワークのネットワーク装置において１つまたは複数のユーザ端末のうちの１つに排他的サービス制御権を提供する方法が提供される。この方法は、以下のステップを含む：１つまたは複数のユーザ端末にサービス制御権関連情報および複数のコマンド形式情報を送信するステップと、１つまたは複数のユーザ端末のうちの少なくとも１つから、対応する各コマンド形式情報に従って編集された少なくとも１つの対話型コマンドを受信するステップと、少なくとも１つの対話型コマンドに従って少なくとも１つのユーザ端末のうちの１つに排他的サービス制御権を提供するステップ。
【０００９】
本発明の第２の態様によれば、通信ネットワークのユーザ端末において対話型コマンドを処理する方法であって、以下のステップを含む方法が提供される：ネットワーク装置からサービス制御権関連情報および複数のコマンド形式情報を取得するステップと、ユーザ端末に対応する複数のコマンド形式情報のうちの１つに従って対話型コマンドを編集するステップと、ネットワーク装置に対話型コマンドを送信するステップ。
【００１０】
本発明の第３の態様によれば、無線通信ネットワークのネットワーク装置において、１つまたは複数のユーザ端末のうちの１つに排他的サービス制御権を提供する第１の提供装置が提供される。この第１の提供装置は、以下を備える：１つまたは複数のユーザ端末にサービス制御権関連情報および複数のコマンド形式情報を送信するように構成された送信機と、１つまたは複数のユーザ端末のうちの少なくとも１つから、対応する各コマンド形式情報に従って編集された少なくとも１つの対話型コマンドを受信するように構成されたコマンド受信機と、少なくとも１つの対話型コマンドに従って少なくとも１つのユーザ端末のうちの１つに排他的サービス制御権を提供するように構成された第２の提供手段。
【００１１】
本発明の第４の態様によれば、通信ネットワークのユーザ端末において対話型コマンドを処理するための処理装置が提供され、この処理装置は以下を備える：ネットワーク装置からサービス制御権関連情報および複数のコマンド形式情報を取得するように構成された第２の取得手段と、ユーザ端末に対応する複数のコマンド形式情報のうちの１つに従って対話型コマンドを編集するように構成された編集手段と、ネットワーク装置に対話型コマンドを送信するように構成された対話型コマンド送信手段。
【００１２】
本発明の利点は以下のとおりである：
本発明では、同一のコマンド形式がユーザ端末に提供され、好ましくは、サーバはＯＭＡ双方向性メディアドキュメント（Ｉｎｔｅｒａｃｔｉｖｉｔｙ  Ｍｅｄｉａ  Ｄｏｃｕｍｅｎｔ）を使用して同一のコマンド形式を構成する。ＯＭＡプロトコルをサポートするユーザが同一のコマンド形式を取得した後で、ユーザ端末はその同一のコマンド形式に従ってＯＭＡプロトコルに基づいた対話型コマンドを編集することができる。
【００１３】
また、ユーザ端末は、ＳＭＳタイプのＯＭＡプロトコルに基づいた対話型コマンドを対話型サーバに送信することができるが、従来のＳＭＳコマンドのようにＳＭＳサーバセンター、ＳＭＳゲートウェイを介してメッセージを転送する必要はない。したがって、対話型コマンドの送信待ち時間が短縮され、その結果ＯＭＡプロトコルをサポートするサーバは対話型コマンドを適時に受信し、対応する処理を実施することができる。
【００１４】
同一のコマンド形式が適用されていることにより、さまざまなユーザ端末によって編集されたコマンドは同じ順序であり、同一の構成単位を有する。したがって、サーバがユーザの対話型コマンドを正確にかつ速く処理することは有利である。
【００１５】
そのうえ、ユーザは、本発明のＯＭＡ双方向性メディアドキュメントを用いて構成されたコマンド形式を使用して、その対話型コマンドを容易にかつ迅速に構築することができる。ユーザのタイプエラーが発生する確率が減少され、それによりユーザの体感品質（ＱｏＥ）が大幅に向上する。
【００１６】
また、サーバがユーザ端末に種々のプロトコルに基づいたコマンド形式を提供するので、ユーザは、それ自身の端末の性能（たとえばサポートするプロトコルのタイプ）またはユーザの好みなどの種々の要因により、提供されたコマンド形式から１つを選択することができる。
【００１７】
さらに、無線ビデオ監視システムのサーバは、対話型コマンドを迅速に入力できるウェブリンクまたは無線ビデオ監視システムの収集装置によって撮影されたビデオクリップをユーザに提供することもでき、その結果、ユーザはサービス制御権関連の情報についてのより良い考えを持ち、対話型コマンドを容易に入力することができる。
【００１８】
そのうえ、モバイル事業者またはサービスプロバイダは、サービス制御権関連情報およびコマンド形式情報をブロードキャストでサービス制御権の取得を希望する全ユーザに同時に送信することができる。したがって、無線リソースは保存されることができ、無線通信ネットワークの上記のメッセージの送信待ち時間は大幅に短縮されることができる。
【００１９】
以下の図面を参照して非限定的実施形態の詳細な説明を読むことにより、本発明の他の特徴、目的、および利点が明らかになるであろう。
【図面の簡単な説明】
【００２０】
【図１】本発明による一実施形態のネットワークトポロジーを示す図である。
【図２】本発明による一実施形態のシステム方法の流れ図である。
【図３】ＯＭＡ双方向性メディアドキュメントを使用して構成されたコマンドテンプレートの概略図である。
【図４】本発明による一実施形態の装置のブロック図である。
【発明を実施するための形態】
【００２１】
ここで、同じまたは類似の参照番号は、同じまたは類似の装置（モジュール）またはステップを指す。
【００２２】
図１は、本発明による一実施形態のネットワークトポロジーを示す。このネットワークでは、ネットワーク装置は、ユーザ端末にサービス制御権関連情報およびコマンド形式情報を提供するように構成された対話型サーバ１またはサービスガイダンスサーバ（図１に図示せず）を備える。ネットワーク装置は、ポイントツーポイント機能をサポートするホスト（共有サーバに等しい）であっても同じ機能を実施する他のサーバと、他のネットワーク装置などをさらに備える。本明細書では、当業者には理解できるように、ネットワーク装置が対話型サーバ１を備える状況は一例として見なされ、本発明は同じ機能を実施する他のサーバまたはホストにも適用される。ここで、コマンド形式情報はコマンドを編集するためのテンプレート情報を含むことができ、すばやい制御を実施できるウェブサイトへのリンクも含むことができる。ネットワークはまた、サービスの排他的サービス制御権を得るためにサービス制御権を要求する対話型コマンドを対話型サーバ１に送信するように構成されたユーザ端末を備える。ユーザ端末は携帯電話たとえばユーザ端末２ａとすることができ、携帯情報端末（ＰＤＡ）たとえばユーザ端末２ｂとすることもでき、ラップトップたとえばユーザ端末２ｃとすることもできる。ユーザ端末は、デスクトップなどの、無線ネットワーク接続をサポートする任意の端末装置を含むこともできる。典型的には、１つのネットワークに複数のユーザ端末が含まれ、この実施形態では便宜上、ユーザ端末２ａ、２ｂ、および２ｃのみが示されている。上記の省略は本発明の実質的な内容に影響を及ぼさない。
【００２３】
サービス制御権が無線ビデオ監視システムの収集装置のための排他的制御権を含む状況であるこの実施形態では、たとえば測雲機（パンチルトおよびカメラを含む）のための排他的制御権は一例として説明される。この実施形態では、測雲機のための排他的制御権はある権限の制限を有し、たとえばレンズの大きさ、レンズの回転角度、レンズの解像度、およびパンチルトの動きの範囲に関する制限があり、すなわちレンズの大きさ、レンズの回転角度、レンズの解像度、およびパンチルトの動きの範囲は、ユーザ端末の要件に従って事業者およびサービスプロバイダによって制限される範囲内で制御権によって調整される。
【００２４】
図１では、矢印付きの実線は、サーバがユーザ端末にメッセージを送信するダウンリンク信号ストリームの方向を示す。矢印付きの破線は、ユーザ端末がサーバまたは他のネットワーク装置に信号を送信するアップリンク信号ストリームの方向を示す。もちろん、本発明では便宜上、説明を簡単にするためにサーバとユーザ端末の間の通信リンクにおける無線アクセス装置（たとえば基地局）、スイッチなどは省略されているが、上記の省略は本発明の解決策の説明に何の影響も及ぼさない。
【００２５】
図２は、本発明のシステム方法の流れ図を示す。
【００２６】
図１と共に図２を参照すると、本発明の一実施形態は以下のように説明される：
ステップＳ１０では、対話型サーバ１は、ユーザ端末２ａ、２ｂ、および２ｃにサービス制御権関連情報および複数のコマンド形式情報をデータパッケージとしてマルチキャストまたはブロードキャストで送信する。具体的には、サービス制御権関連情報およびコマンド形式情報は、図３に示されるサービスガイドの双方向性データ（ｉｎｔｅｒａｃｔｉｖｉｔｙ  ｄａｔａ）に含まれる。
【００２７】
図３に示されるように、サービスガイドは、対話型サーバ１によって提供されることができ、もちろん、他のサーバによって提供されることもできる。サービスガイドは、排他的サービス制御権を要求するための対話型コマンドを確定して送信するようにユーザを導くことができる。サービスガイドは、双方向性データと、双方向性メディアのＵＲＬとを含む。双方向性データは、対話型サーバ１とユーザ端末２ａ、２ｂ、および２ｃと収集装置の間の双方向性に関連する種々の情報など、たとえば本発明のコマンド形式情報、サービス制御権関連情報などの、無線ビデオ監視システムの種々の情報とすることができる。双方向性メディアのＵＲＬは、対応する対話型サーバへのリンク、無線ビデオシステムのビデオ収集装置の制御権のオークションに参加するためのウェブサイトへのショートカットリンクなどの種々の関連リンクをユーザ端末に提供する。ＯＭＡ双方向性メディアドキュメントを使用して構成されたコマンドテンプレートまたはショートカット制御サイトおよびそれへのリンクは、対話型サーバ１に保存されることができ、他のサーバに保存されることもできる。
【００２８】
まず、対話型サーバ１は、ユーザ端末にサービス制御権関連情報を送信し、その結果、ユーザ端末はサービス制御権のためのオークションに参加することができる。
【００２９】
サービス制御権関連情報およびその内容が表１に示されている：
【表１】
2012503371.tif 000003
【００３０】
ここで、サービス制御権の識別子は、事業者またはサービスプロバイダによって制御権のオークションへの出品が許可されている、カメラなどの収集装置の識別を表し、もちろん収集装置はカメラだけに限定されているのではなく、集音装置、アラーム、赤外プローブ、ドアの磁石、煙センサなども含む。サービス制御権の識別子は、制御権のオークションへの出品が許可されている他の収集装置のＩＤをさらに含むことができる。すなわち、対話型サーバ１は、オークションへの出品が許可されている複数の収集装置たとえば上海鉄道駅の２＃赤外プローブの制御権関連情報をユーザ端末に提供することができる。以下では、対話型サーバ１がユーザ端末に上海人民広場の１番のカメラのオークション情報を提供する例を使用して説明する。
【００３１】
サービス制御権の開始時間および終了時間は２００８０９０１２  １２：００−１４：００であり、これは収集装置の排他的制御が２００８年９月１２日１２：００から２００８年９月１２日１４：００まで２時間続くことを表す。さらに、この２時間の収集装置の制御権は、オークションへの出品が許可されている。もちろん、デフォルトで収集装置の制御権がその日の収集装置の制御権である場合、２００８年９月１２日という日付は省略されることができる。
【００３２】
サービス制御権の持続時間は、サービス制御権の開始時間および終了時間によって置き換えられることもでき、たとえば、表１では収集装置の排他的制御権の開始時間は２００８年９月１２日１２：００、その終了時間は２００８年９月１２日１４：００である。
【００３３】
サービス制御権関連情報を交信するための有効期間１０：００−１１：５０は、上海人民広場の１番のカメラの１２：００−１４：００の排他的制御権に関するオークションが１０：００に始まり、そのオークションが１１：５０に終わることを表す。１０：００より前または１１：５０より後に提示された、上海人民広場の１番のカメラの排他的サービス制御権の価格は無効と見なされ、到着後にサーバによって廃棄される。
【００３４】
サービス制御権を交信するための回数は、競争者を除外するための回数が３であることを表す。それについては、説明の対応する以下の部分でさらに説明される。
【００３５】
サービス制御権の紹介は、レンズの透明性、大きさ、カメラの回転角度、カメラの動きの範囲についての説明を含む。それは、上海人民広場の１番のカメラによって撮影されたビデオクリップとすることもできる。
【００３６】
サービス制御権のオークション方法の紹介は、ユーザ端末がコマンド形式を使用して対話型コマンドを構築し、そのコマンドを対話型サーバまたは関連する他のサーバなどに送信するガイダンスを含むか、またはどのようにしてオークションに参加するかに関する文字、画像、または映像による紹介チュートリアルを含む。
【００３７】
もちろん、サービス制御権関連情報の内容は、上記に列挙された内容に限定されない。そのうえ、表１の内容は、任意選択とすることもできるし、不必要とすることもできる。対話型サーバ１は、表１のどの内容がユーザ端末に提供されようとしているのか、およびどの内容がネットワークの実際的な動作条件により省略されることができるのかを決定することができる。たとえば、無線ビデオ監視システムのビデオ収集装置の制御権のオークションが、１人が１つの価格を１回提供できるブラックボックスモードである場合、サービス制御権の現在の最高価格は省略されることができる。または、サービス制御権の基準価格が定められていない場合、「サービス制御権の基準価格」の内容も省略されることができる。
【００３８】
ステップＳ１０では、対話型サーバ１０は、各ユーザ端末２ａ、２ｂ、および２ｃに複数のコマンド形式情報をブロードキャストまたはマルチキャストで送信する。
【００３９】
図３は、ＯＭＡ双方向性メディアドキュメントによって構成された複数のメディアオブジェクトが埋め込まれている１組を示し、それは以下を含む：ＯＭＡコマンドテンプレート、ＳＭＳコマンドテンプレート、ＳＩＰコマンドテンプレートなどの、さまざまな端末に適合されたさまざまなコマンドテンプレート。ＯＭＡ双方向性メディアドキュメントに埋め込まれたオブジェクトは、関連するオークションホームページのショートカットリンクも含むことができる。
【００４０】
ここで、複数の要素がＯＭＡコマンドテンプレートに含まれ、各要素の順序および各要素の構成単位が定義される。たとえば、提示された価格、サービス制御権の持続時間、日付、サービス制御権の識別子は＿ｙｕａｎ，＿：＿−＿：＿，ｙｙ／ｍｍ／ｄｄ，＃＿ｃａｍｅｒａというテンプレートを使用しており、サービス制御関連情報は、テンプレート内の各フィールドの定義と、ユーザがテンプレートに従って自分の対話型コマンドを構築するするガイダンスとを含む。もちろん、コマンドテンプレートは、テンプレートとして既に編集されたコマンドたとえば６００ｙｕａｎ，１２：００−１４：００，２００８／９／１２，Ｔｉａｎ  Ａｎ  Ｍｅｎ  ＃１  ｃａｍｅｒａをさらに含むことができる。このコマンドは、ユーザが天安門広場の＃１カメラの２００８年９月１２日１２：００−１４：００の制御権として６００元を提示したことを示しており、下線付きのフィールドは要件に従ってユーザ端末によって修正されることが許可されている。
【００４１】
他のオブジェクトは、ＯＭＡ双方向性メディアドキュメントに埋め込むことができる：ＯＭＡプロトコルと互換性がある、ＳＭＳコマンドテンプレート、セッションイニシエーションプロトコル（ＳＩＰ）プロトコルなど。ここで、ＳＭＳコマンドテンプレートおよびＳＩＰコマンドテンプレートは、ＯＭＡコマンドテンプレートと同じ形式に従う。以下の要素が連続して含まれる：提示された価格、サービス制御権の持続時間、日付、サービス制御権の識別子。もちろん、上記の説明は例示的なものに過ぎず、本発明で提供されるコマンド形式に対する限定として見なされるべきではない。
【００４２】
上記のコマンド形式は更新されることができ、特定の適用例のシナリオに従って変化させることができる。
【００４３】
そのうえ、関連するオークションホームページへのショートカットリンクもＯＭＡ双方向性メディアドキュメントに含まれることができる。たとえば、事業者またはサービスプロバイダがオークションホームページとして「ｗｗｗ．ａｕｃｔｉｏｎ−ｖｉｄｅｏ．ｃｏｍ」を使用する場合、ｗｗｗ．ａｕｃｔｉｏｎ−ｖｉｄｅｏ．ｃｏｍは、ユーザにオークション作業のウェブサイトにログインするように指示するために、ＯＭＡ双方向性メディアドキュメントの１つのメディアオブジェクトのコンテンツフィールドに入力されることができる。すなわち、ユーザは、ウェブサイトのプルダウンメニューまたは入力ボックスを用いて自分の意志に従って、対応するオブジェクトおよびオークション価格を入力することができる。
【００４４】
次にステップＳ１１では、ユーザ端末２ａ、２ｂ、および２ｃは、複数のコマンド形式情報内のユーザ端末に対応する形式に従って対話型コマンドを編集することができる。ユーザ端末はまず、オブジェクトのタイプがＯＭＡプロトコルに基づくコマンドテンプレートかまたはＳＭＳ、ＳＩＰ  ＷＡＰ（ワイヤレスアプリケーションプロトコル）などに基づくコマンドテンプレートであるかを示すように、双方向性メディアドキュメントに含まれるオブジェクトの識別情報を解析する。ユーザ端末が複数のプロトコル形式をサポートする場合、ユーザ端末は、以下の要因を考慮して、どの対話形式を編集するかに基づいてコマンド形式を選択することができる：
−  プロトコルに基づく対話型コマンドの送信時間が最小であり、たとえば、ユーザ端末２ｃはＯＭＡプロトコルだけでなく、ＳＭＳプロトコルもサポートする。ただし、ＯＭＡプロトコルに基づくコマンドの送信時間が最小であることにより、通常のＳＭＳプロトコル（ＯＭＡ形式とは互換性がない）に基づくコマンドの送信待ち時間は、メッセージがＳＭＳセンターサーバおよびＳＭＳゲートウェイ／スイッチ／ルータによって転送される必要があるので、より長くなる。ユーザ端末２ｃは好ましくは、送信待ち時間がより短いＯＭＡプロトコルに基づいてメッセージ形式を選択する。
−  プロトコルに基づいて対話型コマンドによって占有される帯域幅リソースが最小である。
−  プロトコルに基づいて対話型コマンドを確定する速度が速い。たとえば、ＷＡＰプロトコルに基づくコマンド。
−  プロトコルに基づく対話型コマンドのユーザのセマンティクス表現が最も正確で、エラーが起こりにくく、たとえば、ウェブサイトに含まれるコマンド形式情報は直観的で、多義性を引き起こしにくい。
−  プロトコルに基づく対話型コマンドのユーザによる操作が最も単純である。たとえばＳＭＳプロトコルに基づくコマンド。
【００４５】
上記の要因を総合的に考慮した後、ユーザ端末２ａは、ＯＭＡと互換性のあるＳＭＳ対話型コマンドを編集する：１１００  ｙｕａｎ，１２：００−１４：００，２００８／９／１２，＃１  ｃａｍｅｒａ  ａｔ  ｐｅｏｐｌｅ’ｓ  ｓｑｕａｒｅ  Ｓｈａｎｇｈａｉ。ユーザ端末２ｂは、ＯＭＡと互換性のあるＳＩＰ対話型コマンドを編集する：１０５０  ｙｕａｎ，１２：００−１４：００，２００８／９／１２，＃１  ｃａｍｅｒａ  ａｔ  ｐｅｏｐｌｅ’ｓ  ｓｑｕａｒｅ  Ｓｈａｎｇｈａｉ。ユーザ端末２ｃは、ＯＭＡ対話型コマンド｛１０００  ｙｕａｎ，１２：００−１４：００，２００８／９／１２，＃１  ｃａｍｅｒａ  ａｔ  ｐｅｏｐｌｅ’ｓ  ｓｑｕａｒｅ  Ｓｈａｎｇｈａｉ｝を編集する。
【００４６】
ステップＳ１２では、ユーザ端末２ａ、２ｂ、および２ｃはそれぞれ、編集した対話型コマンドを対話型サーバ１に送信する。
【００４７】
ステップＳ１３では、対話型サーバ１は、複数のユーザ端末から対話型コマンドを取得すると、まず各ユーザ端末によって提示された価格を対話型コマンドから抽出し、それぞれ異なるユーザ端末からの対話型コマンドが対話型サーバ１に到着した時刻を記録する。
【００４８】
オークションの終了時間である１１：５０に１つの最高価格のみがある場合、対話型サーバ１は、最高価格を提示しているユーザたとえば１１００元を提示しているユーザ端末２ａに、上海人民広場の＃１カメラの１２：００−１４：００の制御権を提供する。任意選択で、対話型サーバ１は、オークションに参加している他のユーザにオークションの結果をブロードキャストまたはマルチキャストで送信することができる。
【００４９】
オークションの終了時間である１１：５０に、上海人民広場の＃１カメラの１２：００−１４：００の制御権に対して同じ最高価格を提示している複数のユーザ端末がある場合、対話型サーバ１は、最高価格を含む各対話型コマンドが対話型サーバ１に到着した時刻を比較し、対話型サーバ１に最も早く到着した対話型コマンドに対応するユーザ端末を、上海人民広場の＃１カメラの１２：００−１４：００の制御権の勝者として選択する。
【００５０】
変形実施形態では、ユーザ端末とサーバの間の交信を減少させるために、回に基づいた除外オークション方法が適用されることができる。たとえば、サービス制御権関連情報を交信するのに有効な持続時間１０：００−１１：５０は、３回に分割されることができる。たとえば第１回のオークションの持続時間が１０：００−１０：３５であり、第１回のオークションに参加している１００人のユーザがいると仮定して、第１回のオークションの戦略が第１回のオークションの終了後に競争者の７０％を除外することである場合、買い手の３０％のみを残す、すなわち３０人のユーザのみが第２回のオークションに参加することを許可される。対話型サーバ１は、各携帯端末からの最新の対話型コマンド価格情報を処理する（１台のユーザ端末が１回のオークションで価格を数回提示することができることを考慮すると、ユーザ端末の最新価格の提示すなわちこの回のオークションの終了時間の最も近くに提示された価格は、この回におけるユーザ端末の最終的な価格提示であると見なされる）。対話型サーバ１は各ユーザ端末の最終的な価格情報を並べ替え、次にステップＳ１４では、対話型サーバ１は、８００元を上回る価格を提示したユーザ端末のみが第２回のオークションに入ることができることを各ユーザ端末に示すように、参加しているユーザにサービス制御権関連結果を送信し、すなわち３０位にランクしている買い手によって提示された価格たとえば８００元を価格指標情報として各ユーザ端末にブロードキャストまたはマルチキャストで送信し、最高価格を更新する、すなわち１位にランクしているユーザ端末によって提示された価格たとえば１０００元に最高価格を更新する。上記の実施形態では、ステップＳ１４において、対話型サーバ１は各携帯端末に価格指標情報をブロードキャストまたはマルチキャストする必要があり、一変形実施形態では、ステップＳ１４において、対話型サーバ１は上位３０人の買い手に、次回のオークションに入ることができるというユニキャストメッセージを送信し、それに相当する権限をこれらの買い手に与える。対話型サーバ１は、下位７０人のユーザに、次回のオークションに入ることができないというユニキャストメッセージを送信する。第２回のオークションにおいて、この除外方法がまた実施される。この除外方法は第１回における除外方法とまったく同じなので、さらなる説明は行わない。
【００５１】
一変形実施形態では、下位互換性を考慮して、いくつかの低価格のユーザ端末では、ＯＭＡ双方向性メディアドキュメントに基づいて編集されたコマンド形式情報をサポートしないことがある。したがって、これらのユーザ端末がＯＭＡ双方向性メディアドキュメントによって編集されたコマンド形式情報を受信した後、このコマンド形式情報が認識できないので廃棄されることがある。したがって、対話型サーバ１は任意選択で、全ユーザ端末にＳＭＳプロトコルに基づいたコマンド形式およびＳＩＰプロトコルに基づいたコマンド形式をブロードキャストまたはマルチキャストする。ここで、ＳＭＳプロトコルに基づいたコマンド形式およびＳＩＰプロトコルに基づいたコマンド形式は、ＯＭＡと互換性がある双方向性メディアドキュメントに含まれる種々のプロトコルに基づいたコマンドテンプレートと同じ形式を有する。
【００５２】
別の変形実施形態では、方法は任意選択で、ステップＳ１０の前に以下のステップをさらに含む：各ユーザ端末は、対話型サーバ１にユーザ端末によってサポートされるプロトコルタイプを送信する。対話型サーバ１は、各ユーザ端末によってサポートされるプロトコルタイプを取得した後、全ユーザ端末にユーザ端末によってサポートされるプロトコルタイプのコマンドテンプレートをブロードキャストする。たとえば、対話型サーバ１によって対処される各ユーザ端末がＳＩＰプロトコルおよびＳＭＳプロトコルのみをサポートする場合、対話型サーバ１がユーザ端末の性能情報を取得した後、対話型サーバ１はユーザ端末にユーザ端末によってサポートされるＳＩＰプロトコルおよびＳＭＳプロトコルのコマンド形式を提供するだけでよい。
【００５３】
本発明のサービス制御権は、無線ビデオ監視システムの収集装置の制御権に限定されず、ある時間帯において宴会場およびその中の機器を使用する権利も含むことができることが理解されよう。
【００５４】
図４は、本発明による一実施形態の装置のブロック図を示す。
【００５５】
図４に示される第１の提供装置１０は、図１に示される対話型サーバ１内にある。第１の提供装置１０は、送信機１００と、コマンド受信機１０１と、第２の提供手段１０２とを備えた。ここで、第２の提供手段１０２は、抽出手段１０２０と、サービス統計手段１０２１とをさらに備える。
【００５６】
図４に示される処理装置２０は、図１に示されるユーザ端末２ａ内にあり、ユーザ端末２ｂまたは２ｃ内にあってもよい。処理装置２０は、第２の取得手段２００と、編集手段２０１と、対話型コマンド送信機２０２とを備える。
【００５７】
まず、送信機１００は、ユーザ端末２ａ、２ｂ、および２ｃにサービス制御権関連情報および複数のコマンド形式情報をデータパッケージとしてマルチキャストまたはブロードキャストで送信する。具体的には、サービス制御権関連情報およびコマンド形式情報は、図３に示されるサービスガイドの双方向性データに含まれる。
【００５８】
図３に示されるように、サービスガイドは、対話型サーバ１によって提供されることができ、もちろん、他のサーバによって提供されることもできる。サービスガイドは、排他的サービス制御権を要求するための対話型コマンドを確定して送信するようにユーザを導くことができる。サービスガイドは、双方向性データと、双方向性メディアのＵＲＬとを含む。双方向性データは、対話型サーバ１とユーザ端末２ａ、２ｂ、および２ｃと収集装置の間の双方向性に関連する種々の情報など、たとえば本発明のコマンド形式情報、サービス制御権関連情報などの、無線ビデオ監視システムの種々の情報とすることができる。双方向性メディアのＵＲＬは、対応する対話型サーバへのリンク、無線ビデオシステムのビデオ収集装置の制御権のオークションに参加するためのウェブサイトへのショートカットリンクなどの種々の関連リンクをユーザ端末に提供する。ＯＭＡ双方向性メディアドキュメントを使用して構成されたコマンドテンプレートまたはショートカット制御サイトおよびそれへのリンクは、対話型サーバ１に保存されることができ、他のサーバに保存されることもできる。
【００５９】
まず、送信機１００は、ユーザ端末にサービス制御権関連情報を送信し、その結果、ユーザ端末はサービス制御権のためのオークションに参加することができる。
【００６０】
サービス制御権関連情報およびその内容が表２に示されている：
【表２】
2012503371.tif 000004
【００６１】
ここで、サービス制御権の識別子は、その制御権が事業者またはサービスプロバイダによってオークションに許可されている、カメラなどの収集装置の識別を表し、もちろん収集装置はカメラだけに限定されているのではなく、集音装置、アラーム、赤外プローブ、ドアの磁石、煙センサなども含む。サービス制御権の識別子は、制御権のオークションへの出品が許可されている他の収集装置のＩＤをさらに含むことができる。すなわち、対話型サーバ１は、オークションへの出品が許可されている複数の収集装置たとえば上海鉄道駅の２＃赤外プローブの制御権関連情報をユーザ端末に提供することができる。以下では、対話型サーバ１がユーザ端末に上海人民広場の１番のカメラのオークション情報を提供する例を使用して説明する。
【００６２】
サービス制御権の開始時間および終了時間は２００８０９０１２  １２：００−１４：００であり、これは収集装置の排他的制御が２００８年９月１２日１２：００から２００８年９月１２日１４：００まで２時間続くことを表す。さらに、この２時間の収集装置の制御権は、オークションへの出品が許可されている。もちろん、デフォルトで収集装置の制御権がその日の収集装置の制御権である場合、２００８年９月１２日という日付は省略されることができる。
【００６３】
サービス制御権の持続時間は、サービス制御権の開始時間および終了時間によって置き換えられることもでき、たとえば、表２では収集装置の排他的制御権の開始時間は２００８年９月１２日１２：００、その終了時間は２００８年９月１２日１４：００である。
【００６４】
サービス制御権関連情報を交信するための有効期間１０：００−１１：５０は、上海人民広場の１番のカメラの１２：００−１４：００の排他的制御権に関するオークションが１０：００に始まり、そのオークションが１１：５０に終わることを表す。１０：００より前または１１：５０より後に提示された、上海人民広場の１番のカメラの排他的サービス制御権の価格は無効と見なされ、到着後にサーバによって廃棄される。
【００６５】
サービス制御権を交信するための回数は、競争者を除外するための回数が３であることを表す。それについては、説明の対応する以下の部分でさらに説明される。
【００６６】
サービス制御権の紹介は、レンズの透明性、大きさ、カメラの回転角度、カメラの動きの範囲についての説明を含む。それは、上海人民広場の１番のカメラによって撮影されたビデオクリップとすることもできる。
【００６７】
サービス制御権のオークション方法の紹介は、ユーザ端末がコマンド形式を使用して対話型コマンドを構築し、そのコマンドを対話型サーバまたは関連する他のサーバなどに送信するガイダンスを含むか、またはどのようにしてオークションに参加するかに関する文字、画像、または映像による紹介チュートリアルを含む。
【００６８】
もちろん、サービス制御権関連情報の内容は、上記に列挙された内容に限定されない。そのうえ、表２の内容は、任意選択とすることもできるし、不必要とすることもできる。送信機１００は、表２のどの内容がユーザ端末に提供されようとしているのか、およびどの内容がネットワークの実際的な動作条件により省略されることができるのかを決定することができる。たとえば、無線ビデオ監視システムのビデオ収集装置の制御権のオークションが、１人が１つの価格を１回提供できるブラックボックスモードである場合、サービス制御権の現在の最高価格は省略されることができる。または、サービス制御権の基準価格が定められていない場合、「サービス制御権の基準価格」の内容も省略されることができる。
【００６９】
送信機１００は、各ユーザ端末２ａ、２ｂ、および２ｃに複数のコマンド形式情報をブロードキャストまたはマルチキャストで送信する。
【００７０】
図３は、ＯＭＡ双方向性メディアドキュメントによって構成された複数のメディアオブジェクトが埋め込まれている１組を示し、それは以下を含む：ＯＭＡコマンドテンプレート、ＳＭＳコマンドテンプレート、ＳＩＰコマンドテンプレートなどの、さまざまな端末に適合されたさまざまなコマンドテンプレート。ＯＭＡ双方向性メディアドキュメントに埋め込まれたオブジェクトは、関連するオークションホームページのショートカットリンクも含むことができる。
【００７１】
ここで、複数の要素がＯＭＡコマンドテンプレートに含まれ、各要素の順序および各要素の構成単位が定義される。たとえば、提示された価格、サービス制御権の持続時間、日付、サービス制御権の識別子は＿ｙｕａｎ，＿：＿−＿：＿，ｙｙ／ｍｍ／ｄｄ，＃ｃａｍｅｒａというテンプレートを使用しており、サービス制御関連情報は、テンプレート内の各フィールドの定義と、ユーザがテンプレートに従って自分の対話型コマンドを構築するするガイダンスとを含む。もちろん、コマンドテンプレートは、テンプレートとして既に編集されたコマンドたとえば６００ｙｕａｎ，１２：００−１４：００，２００８／９／１２，Ｔｉａｎ  Ａｎ  Ｍｅｎ  ＃１  ｃａｍｅｒａをさらに含むことができる。このコマンドは、ユーザが天安門広場の＃１カメラの２００８年９月１２日１２：００−１４：００の制御権として６００元を提示したことを示しており、下線付きのフィールドは要件に従ってユーザ端末によって修正されることが許可されている。
【００７２】
他のオブジェクトは、ＯＭＡ双方向性メディアドキュメントに埋め込むことができる：ＯＭＡプロトコルと互換性がある、ＳＭＳコマンドテンプレート、セッションイニシエーションプロトコル（ＳＩＰ）プロトコルなど。ここで、ＳＭＳコマンドテンプレートおよびＳＩＰコマンドテンプレートは、ＯＭＡコマンドテンプレートと同じ形式に従う。以下の要素が連続して含まれる：提示された価格、サービス制御権の持続時間、日付、サービス制御権の識別子。もちろん、上記の説明は例示的なものに過ぎず、本発明で提供されるコマンド形式に対する限定として見なされるべきではない。
【００７３】
上記のコマンド形式は更新されることができ、特定の適用例のシナリオに従って変化させることができる。
【００７４】
そのうえ、関連するオークションホームページへのショートカットリンクもＯＭＡ双方向性メディアドキュメントに含まれることができる。たとえば、事業者またはサービスプロバイダがオークションホームページとして「ｗｗｗ．ａｕｃｔｉｏｎ−ｖｉｄｅｏ．ｃｏｍ」を使用する場合、ｗｗｗ．ａｕｃｔｉｏｎ−ｖｉｄｅｏ．ｃｏｍは、ユーザにオークション作業のウェブサイトにログインするように指示するために、ＯＭＡ双方向性メディアドキュメントの１つのメディアオブジェクトのコンテンツフィールドに入力されることができる。すなわち、ユーザは、ウェブサイトのプルダウンメニューまたは入力ボックスを用いて自分の意志に従って、対応するオブジェクトおよびオークション価格を入力することができる。
【００７５】
次に、ユーザ端末２ａ、２ｂ、および２ｃ内の各第２の取得手段２００はそれぞれ送信機１００からサービス制御権関連情報および複数のコマンド形式情報を取得する。
【００７６】
次に、ユーザ端末２ａ、２ｂ、および２ｃ内の編集手段２０１はそれぞれ、複数のコマンド形式情報のユーザ端末に対応する形式に従って対話型コマンドを編集することができる。ユーザ端末はまず、オブジェクトのタイプがＯＭＡプロトコルに基づくコマンドテンプレートかまたはＳＭＳ、ＳＩＰ  ＷＡＰ（ワイヤレスアプリケーションプロトコル）などに基づくコマンドテンプレートであるかを示すように、双方向性メディアドキュメントに含まれるオブジェクトの識別情報を解析する。ユーザ端末が複数のプロトコル形式をサポートする場合、ユーザ端末は、以下の要因を考慮して、どの対話形式を編集するかに基づいてコマンド形式を選択することができる：
−  プロトコルに基づく対話型コマンドの送信時間が最小であり、たとえば、ユーザ端末２ｃはＯＭＡプロトコルだけでなく、ＳＭＳプロトコルもサポートする。ただし、ＯＭＡプロトコルに基づくコマンドの送信時間が最小であることにより、通常のＳＭＳプロトコル（ＯＭＡ形式とは互換性がない）に基づくコマンドの送信待ち時間は、メッセージがＳＭＳセンターサーバおよびＳＭＳゲートウェイ／スイッチ／ルータによって転送される必要があるので、より長くなる。ユーザ端末２ｃ内の編集手段２０１は好ましくは、送信待ち時間がより短いＯＭＡプロトコルに基づいてメッセージ形式を選択する。
−  プロトコルに基づいて対話型コマンドによって占有される帯域幅リソースが最小である。
−  プロトコルに基づいて対話型コマンドを確定する速度が速い。たとえば、ＷＡＰプロトコルに基づくコマンド。
−  プロトコルに基づく対話型コマンドのユーザのセマンティクス表現が最も正確で、エラーが起こりにくく、たとえば、ウェブサイトに含まれるコマンド形式情報は直観的で、多義性を引き起こしにくい。
−  プロトコルに基づく対話型コマンドのユーザによる操作が最も単純である。たとえばＳＭＳプロトコルに基づくコマンド。
【００７７】
上記の要因を総合的に考慮した後、ユーザ端末２ａ内の編集手段２０１は、ＯＭＡと互換性のあるＳＭＳ対話型コマンドを編集する：１１００  ｙｕａｎ，１２：００−１４：００，２００８／９／１２，＃１  ｃａｍｅｒａ  ａｔ  ｐｅｏｐｌｅ’ｓ  ｓｑｕａｒｅ  Ｓｈａｎｇｈａｉ。ユーザ端末２ｂ内の編集手段２０１は、ＯＭＡと互換性のあるＳＩＰ対話型コマンドを編集する：１０５０  ｙｕａｎ，１２：００−１４：００，２００８／９／１２，＃１  ｃａｍｅｒａ  ａｔ  ｐｅｏｐｌｅ’ｓ  ｓｑｕａｒｅ  Ｓｈａｎｇｈａｉ。ユーザ端末２ｃ内の編集手段２０１は、ＯＭＡ対話型コマンド｛１０００  ｙｕａｎ，１２：００−１４：００，２００８／９／１２，＃１  ｃａｍｅｒａ  ａｔ  ｐｅｏｐｌｅ’ｓ  ｓｑｕａｒｅ  Ｓｈａｎｇｈａｉ｝を編集する。
【００７８】
次に、ユーザ端末２ａ、２ｂ、および２ｃ内の対話型コマンド送信機２０２はそれぞれ、編集した対話型コマンドを対話型サーバ１に送信する。
【００７９】
コマンド受信機１０１が複数のユーザ端末から対話型コマンドを取得すると、まず抽出手段１０２０が各ユーザ端末によって提示された価格を対話型コマンドから抽出し、サービス統計手段１０２１がそれぞれ異なるユーザ端末からの対話型コマンドが対話型サーバ１に到着した時刻を記録する。
【００８０】
オークションの終了時間である１１：５０１に１つの最高価格のみがある場合、第２の提供手段１０２は、最高価格を提示しているユーザたとえば１１００元を提示しているユーザ端末２ａに、上海人民広場の＃１カメラの１２：００−１４：００の制御権を提供する。さらに、第２の提供手段１０２は、オークションに参加している他のユーザにオークションの結果をブロードキャストまたはマルチキャストで送信する。
【００８１】
オークションの終了時間である１１：５０に、上海人民広場の＃１カメラの１２：００−１４：００の制御権に対して同じ最高価格を提示している複数のユーザ端末がある場合、サービス統計手段１０２１は、最高価格を含む各対話型コマンドが対話型サーバ１に到着した時刻を比較し、第２の提供手段１０２は、対話型サーバ１に最も早く到着した対話型コマンドに対応するユーザ端末を、上海人民広場の＃１カメラの１２：００−１４：００の制御権の勝者として選択する。
【００８２】
一変形実施形態では、ユーザ端末とサーバの間の交信を減少させるために、回に基づいた除外オークション方法が適用されることができる。たとえば、サービス制御権関連情報を交信するのに有効な持続時間１０：００−１１：５０は、３回に分割されることができる。たとえば第１回のオークションの持続時間が１０：００−１０：３５であり、第１回のオークションに参加している１００人のユーザがいると仮定して、第１回のオークションの戦略が第１回のオークションの終了後に競争者の７０％を除外することである場合、買い手の３０％のみを残す、すなわち３０人のユーザのみが第２回のオークションに参加することを許可される。サービス統計手段１０２１は、各携帯端末からの最新の対話型コマンド価格情報を処理する（１台のユーザ端末が１回のオークションで価格を数回提示できることを考慮すると、第２の提供手段１０２は参加しているユーザにサービス制御権関連結果を送信し、それは、ユーザ端末の最新価格の提示すなわちこの回のオークションの終了時間の最も近くに提示された価格は、この回におけるユーザ端末の最終的な価格提示であると思われることを意味する）。サービス統計手段１０２１は各ユーザ端末の最終的な価格情報を並べ替え、次に第２の提供手段１０２は、８００元を上回る価格を提示したユーザ端末のみが第２回のオークションに入ることができることを各ユーザ端末に示すように、３０位にランクしている買い手によって提示された価格たとえば８００元を価格指標情報として各ユーザ端末にブロードキャストまたはマルチキャストで送信し、最高価格を更新する、すなわち１位にランクしているユーザ端末によって提示された価格たとえば１０００元に最高価格を更新する。上記の実施形態では、第２の提供手段１０２は各携帯端末に価格指標情報をブロードキャストまたはマルチキャストする必要があり、一変形実施形態では、第２の提供手段１０２は上位３０人の買い手に、次回のオークションに入ることができるというユニキャストメッセージを送信し、それに相当する権限をこれらの買い手に与える。第２の提供手段１０２は、下位７０人のユーザに、次回のオークションに入ることができないというユニキャストメッセージを送信する。第２回のオークションにおいて、この除外方法がまた実施される。この除外方法は第１回における除外方法とまったく同じなので、さらなる説明は行わない。
【００８３】
一変形実施形態では、下位互換性を考慮して、いくつかの低価格のユーザ端末では、ＯＭＡ双方向性メディアドキュメントに基づいて編集されたコマンド形式情報をサポートしないことがある。したがって、これらのユーザ端末がＯＭＡ双方向性メディアドキュメントによって編集されたコマンド形式情報を受信した後、このコマンド形式情報が認識できないので廃棄されることがある。したがって、送信機１００は任意選択で、全ユーザ端末にＳＭＳプロトコルに基づいたコマンド形式およびＳＩＰプロトコルに基づいたコマンド形式をブロードキャストまたはマルチキャストする。ここで、ＳＭＳプロトコルに基づいたコマンド形式およびＳＩＰプロトコルに基づいたコマンド形式は、ＯＭＡと互換性がある双方向性メディアドキュメントに含まれる種々のプロトコルに基づいたコマンドテンプレートと同じ形式を有する。
【００８４】
別の変形実施形態では、第１の提供装置１０は任意選択で、各ユーザ端末によってサポートされるプロトコルタイプを取得するように構成された第１の取得手段（図に示されず）をさらに備える。第１の取得手段が各ユーザ端末によってサポートされるプロトコルタイプを取得した後、送信機１００は全ユーザ端末にユーザ端末によってサポートされるプロトコルタイプのコマンドテンプレート情報をブロードキャストする。たとえば、対話型サーバ１によって対処される各ユーザ端末がＳＩＰプロトコルおよびＳＭＳプロトコルのみをサポートする場合、第１の取得手段がユーザ端末の性能情報を取得した後、送信機１００はユーザ端末にユーザ端末によってサポートされるＳＩＰプロトコルおよびＳＭＳプロトコルのコマンド形式を提供するだけでよい。
【００８５】
本発明のサービス制御権は、無線ビデオ監視システムの収集装置の制御権に限定されず、ある時間帯において宴会場およびその中の機器を使用する権利も含むことができることが理解されよう。
【００８６】
本発明の実施形態について上記で説明してきた。ただし、本発明は特定のシステム、装置、または特定のプロトコルに限定されない。添付の特許請求の範囲によって定められた範囲から逸脱することなく、当業者により変形または修正が加えられることができる。
【図１】
2012503371.tif 000005
【図２】
2012503371.tif 000006
【図３】
2012503371.tif 000007
【図４】
2012503371.tif 000008
【手続補正書】
【提出日】平成23年3月23日(2011.3.23)
【手続補正１】
【補正対象書類名】特許請求の範囲
【補正対象項目名】全文
【補正方法】変更
【補正の内容】
【特許請求の範囲】
【請求項１】
無線通信ネットワークのネットワーク装置において１つまたは複数のユーザ端末のうちの１つに排他的サービス制御権を提供する方法であって、
ａ．１つまたは複数のユーザ端末にサービス制御権関連情報および複数のコマンド形式情報を送信するステップと、
ｂ．１つまたは複数のユーザ端末のうちの少なくとも１つから、対応する各コマンド形式情報に従って編集された少なくとも１つの対話型コマンドを受信するステップと、
ｃ．少なくとも１つの対話型コマンドに従って、少なくとも１つのユーザ端末のうちの１つに排他的サービス制御権を提供するステップとを含む、方法。
【請求項２】
ステップａの前に
ｉ．送信されるべき複数のコマンド形式情報を決定するステップをさらに含むことを特徴とする、請求項１に記載の方法。
【請求項３】
１つまたは複数のユーザ端末が複数のプロトコルタイプをサポートし、ステップｉが
１つまたは複数のユーザ端末によってサポートされる複数のプロトコルタイプに従って、それぞれ複数のプロトコルタイプに対応する送信されるべき複数のコマンド形式情報を決定するステップをさらに含むことを特徴とする、請求項２に記載の方法。
【請求項４】
ステップｉの前に
−  １つまたは複数のユーザ端末によってサポートされる複数のプロトコルタイプを取得するステップをさらに含むことを特徴とする、請求項３に記載の方法。
【請求項５】
ステップｃが
ｃ１．少なくとも１つの対話型コマンドに従って、少なくとも１つの対話型コマンドに含まれる対話情報を抽出するステップと、
ｃ２．少なくとも１つの対話型コマンドに従って、少なくとも１つのユーザ端末のうちの１つにサービス制御権を提供するステップとをさらに含む、請求項１から４のいずれかに記載の方法。
【請求項６】
１つまたは複数の対話情報が、１つまたは複数のユーザ端末によって提示されたサービス制御権の価格を含み、
ステップｃ２が、
１つまたは複数のユーザ端末によって提示されたサービス制御権の価格に従って、サービス制御権の最高価格を提示したユーザ端末を選択し、これにサービス制御権を提供するステップをさらに含むことを特徴とする、請求項５に記載の方法。
【請求項７】
ネットワーク装置が、１つまたは複数のユーザ端末から各対話型コマンドを受信するためのそれぞれの受信時刻を有し、ステップｃ２が
複数のユーザ端末がサービス制御権の同じ最高価格を提示したときに、ネットワーク装置によって最も早く受信された対話型コマンドに対応するユーザ端末にサービス制御権を提供するステップをさらに含むことを特徴とする、請求項６に記載の方法。
【請求項８】
プロトコルタイプが、オープンモバイルアライアンスプロトコル、ショートメッセージサービスプロトコル、セッションイニシエーションプロトコル、ワイヤレスアプリケーションプロトコル、ハイパーテキストトランスファープロトコル、またはリアルタイムトランスポートプロトコルのうちの少なくとも２つを含むことを特徴とする、請求項３から７のいずれかに記載の方法。
【請求項９】
サービス制御権関連情報がサービス制御権の識別子を含み、
−  サービス制御権関連情報を交信するための有効期間と、
−  サービス制御権の基準価格と、
−  サービス制御権の現在の最高価格と、
−  サービス制御権の持続時間と、
−  サービス制御権の開始時間および終了時間と、
−  サービス制御権を交信するための回数と、
−  サービス制御権の紹介のうちの任意の１つまたは複数をさらに含み、および／または排他的サービス制御権が、無線ビデオ監視システムのビデオ収集装置の排他的サービス制御権を含むことを特徴とする、請求項１から８のいずれかに記載の方法。
【請求項１０】
通信ネットワークのユーザ端末において対話型コマンドを処理する方法であって、
Ａ．ネットワーク装置からサービス制御権関連情報および複数のコマンド形式情報を取得するステップと、
Ｂ．ユーザ端末に対応する複数のコマンド形式情報のうちの１つに従って対話型コマンドを編集するステップと、
Ｃ．この対話型コマンドをネットワーク装置に送信するステップとを含む、方法。
【請求項１１】
ユーザ端末が複数のプロトコルタイプをサポートし、ステップＢが
Ｂ１．所定のルールに従って、ユーザ端末によってサポートされる複数のプロトコルのうちの１つに対応するコマンド形式情報を決定するステップと、
Ｂ２．この決定されたコマンド形式情報に従って対話型コマンドを編集するステップとをさらに含むことを特徴とする、請求項１０に記載の方法。
【請求項１２】
所定のルールが
−  プロトコルに基づいた対話型コマンドの送信時間が最小であること、
−  プロトコルに基づいて対話型コマンドによって占有される帯域幅リソースが最小であること、
−  プロトコルに基づいた対話型コマンドの確立速度が速いこと、
−  プロトコルに基づいた対話型コマンドのユーザのセマンティクス表現が最も正確で、エラーが起こりにくいこと、
−  プロトコルに基づいた対話型コマンドのユーザによる操作が最も単純であることのうちの任意の１つまたは複数を含むことを特徴とする、請求項１１に記載の方法。
【請求項１３】
ステップＡの前に
Ｉ．ユーザ端末によってサポートされる１つまたは複数のプロトコルタイプをネットワーク装置に提供するステップをさらに含むことを特徴とする、請求項１０から１２のいずれかに記載の方法。
【請求項１４】
プロトコルタイプが、オープンモバイルアライアンスプロトコル、ショートメッセージサービスプロトコル、セッションイニシエーションプロトコル、ワイヤレスアプリケーションプロトコル、ハイパーテキストトランスファープロトコル、またはリアルタイムトランスポートプロトコルのうちの少なくとも２つを含むことを特徴とする、請求項１１から１４のいずれかに記載の方法。
【請求項１５】
サービス制御権関連情報がサービス制御権の識別子を含み、
−  サービス制御権関連情報を交信するための有効期間と、
−  サービス制御権の基準価格と、
−  サービス制御権の現在の最高価格と、
−  サービス制御権の持続時間と、
−  サービス制御権の開始時間および終了時間と、
−  サービス制御権を交信するための回数と、
−  サービス制御権の紹介と、
−  サービス制御権のオークション方法の紹介のうちの任意の１つまたは複数を含み、および／または対話型コマンドがユーザ端末によって提示されたサービス制御権の価格を含むことを特徴とする、請求項１０から１４のいずれかに記載の方法。
【国際調査報告】
2012503371.tif 000009
2012503371.tif 000010
2012503371.tif 000011
2012503371.tif 000012